(57)【要約】【課題】画像の表示方向の切り替えの可否を認識可能な携帯端末、携帯端末の制御方法、及びプログラムを提供すること。【解決手段】本発明にかかる携帯端末１は、表示部１１と、切替部１２と、判定部１３と、通知部１４と、を備える。切替部１２は、ユーザの操作に基づいて、表示部１１に表示された画像の表示部１１に対する表示方向を切り替える。判定部１３は、表示部１１が、切替部１２の切り替え処理に応じて、画像を複数の表示方向で表示可能か否かを判定する。  通知部１４は、判定部１３の判定結果をユーザに対して通知する。【選択図】図１
2012181319.tif 000002
【特許請求の範囲】
【請求項１】
表示手段と、
ユーザの操作に基づいて、前記表示手段に表示された画像の前記表示手段に対する表示方向を切り替える切替手段と、
前記表示手段が、前記切替手段の切り替え処理に応じて、前記画像を複数の前記表示方向で表示可能か否かを判定する判定手段と、
前記判定手段の判定結果を前記ユーザに対して通知する通知手段と、
を備える携帯端末。
【請求項２】
前記判定手段は、前記画像に対応する前記携帯端末の機能に基づいて、前記表示手段が前記画像を複数の前記表示方向で表示可能か否かを判定する請求項１に記載の携帯端末。
【請求項３】
前記判定手段は、前記画像に対応する前記携帯端末の機能に基づいて、前記表示手段が表示可能な前記画像の前記表示方向を判定する請求項１または２に記載の携帯端末。
【請求項４】
前記携帯端末の前記機能と、前記表示手段が表示可能な前記画像の前記表示方向と、が対応付けられて格納されたテーブルをさらに備え、
前記判定手段は、前記テーブルを参照して、前記表示手段が表示可能な前記画像の前記表示方向を判定する請求項３に記載の携帯端末。
【請求項５】
前記表示手段の表示画面は、略矩形状であり、
前記通知手段は、前記表示手段の各辺に近接して設けられた点灯部材であり、前記表示手段が表示可能な前記画像の前記表示方向に対応して点灯を制御する請求項３または４に記載の携帯端末。
【請求項６】
前記表示手段が、前記画像を縦方向に表示可能な場合、
前記通知手段は、前記表示画面の上下の辺に近接して設けられた前記点灯部材を点灯させ、
前記表示手段が、前記画像を横方向に表示可能な場合、
前記通知手段は、前記表示画面の左右の辺に近接して設けられた前記点灯部材を点灯させる請求項５に記載の携帯端末。
【請求項７】
前記携帯端末を操作する操作ボタンをさらに備え、
前記通知手段は、前記操作ボタンに設けられた点灯部材であり、前記表示手段が表示可能な前記画像の前記表示方向に対応して、前記操作ボタンの点灯を制御する請求項３または４に記載の携帯端末。
【請求項８】
前記携帯端末の姿勢を検出する姿勢検出手段をさらに備え、
前記切替手段は、前記姿勢検出手段の検出結果に基づいて、前記画像の前記表示方向を切り替える請求項１〜７のいずれか一項に記載の携帯端末。
【請求項９】
ユーザの操作に基づいて、表示手段に表示された画像を複数の表示方向で表示可能か否かを判定し、
通知手段を用いて判定結果を前記ユーザに対して通知する携帯端末の制御方法。
【請求項１０】
請求項９に記載の前記携帯端末の制御方法をコンピュータに行わせるためのプログラム。
【発明の詳細な説明】
【技術分野】
【０００１】
本発明は携帯端末、携帯端末の制御方法、及びプログラムに関し、特に画像の表示方向を切り替え可能な携帯端末、携帯端末の制御方法、及びプログラムに関する。
【背景技術】
【０００２】
近年、ワンセグやカメラ、ウェブ閲覧等の電話機能以外の機能を備える携帯電話機が普及している。一方、携帯電話機の表示画面は、一般的に縦長の長方形であり、通常、表示画面に表示される画像は、縦方向に表示される。
【０００３】
このとき、上記した携帯電話機の機能によっては、縦方向の表示よりも横方向に表示した方が、利便性が向上する場合がある（例えば、ワンセグ放送を見る場合には、横画面の方が、縦方向の表示よりも画像が大きく表示され、画像の視認性に優れている）。
【０００４】
そのため、近年の携帯電話機は、表示された画像の表示方向を縦方向及び横方向に切り替える機能を備えている。さらに、表示方向の切り替えをより直感的に行うために、ユーザが携帯電話機を傾けることにより、画像の表示方向が切り替わる機能を備える携帯電話機も提案されている。
【０００５】
特許文献１には、ディスプレイの周りに複数の発光部を備える電子機器が開示されている。当該発光部は、表示画像の表示方向が変更した場合に、表示方向が変更した旨及び変更した表示方向をユーザに通知する。
【先行技術文献】
【特許文献】
【０００６】
【特許文献１】特開２００５−３２１９７４号公報
【発明の概要】
【発明が解決しようとする課題】
【０００７】
しかしながら、携帯電話機が備える全ての機能において、その機能に応じて表示される画像の表示方向が変更できるとは限らない。つまり、携帯電話機が備える機能には、縦方向表示のみに対応する機能、横方向表示のみに対応する機能及び縦方向表示と横方向表示との双方に対応する機能とが混在する。したがって、ユーザにとっては、表示画面に表示された画像が縦方向または横方向に切り替え可能であるか否かを認識することが困難であるという問題があった。
【０００８】
なお、特許文献１に記載の電子機器は、表示方向が変更した旨及び変更した表示方向を通知することはできるが、表示された画像が縦方向または横方向に切り替え可能であるか否かをユーザが認識することはできない。
【０００９】
本発明はこのような問題を解決するためになされたものであり、画像の表示方向の切り替えの可否を認識可能な携帯端末、携帯端末の制御方法、及びプログラムを提供することを目的としている。
【課題を解決するための手段】
【００１０】
本発明にかかる携帯端末は、表示手段と、ユーザの操作に基づいて、前記表示手段に表示された画像の前記表示手段に対する表示方向を切り替える切替手段と、前記表示手段が、前記切替手段の切り替え処理に応じて、前記画像を複数の前記表示方向で表示可能か否かを判定する判定手段と、前記判定手段の判定結果を前記ユーザに対して通知する通知手段と、を備えるものである。
【００１１】
本発明にかかる携帯端末の制御方法は、ユーザの操作に基づいて、表示手段に表示された画像を複数の表示方向で表示可能か否かを判定し、通知手段を用いて判定結果を前記ユーザに対して通知するものである。
【００１２】
本発明にかかるプログラムは、上記の携帯端末の制御方法をコンピュータに行わせるためのものである。
【発明の効果】
【００１３】
本発明により、画像の表示方向の切り替えの可否を認識可能な携帯端末、携帯端末の制御方法、及びプログラムを提供することができる。
【図面の簡単な説明】
【００１４】
【図１】実施の形態１にかかる携帯端末のブロック図である。
【図２】実施の形態２にかかる携帯端末のブロック図である。
【図３】実施の形態２にかかる機能・方向テーブルである。
【図４】実施の形態２にかかる方向・点灯テーブルである。
【図５】実施の形態２にかかる携帯端末の正面図である。
【図６】実施の形態２にかかる携帯端末の動作を示すフローチャートである。
【図７】表示可能方向が縦方向のみの場合の携帯端末の正面図である。
【図８】表示可能方向が横方向のみの場合の携帯端末の正面図である。
【図９】表示可能方向が縦方向及び横方向の場合の携帯端末の正面図である。
【図１０】表示可能方向が上方向、左方向及び右方向の場合の携帯端末の正面図である。
【図１１】その他の実施例にかかる携帯端末の正面図である。
【図１２】その他の実施例にかかる携帯端末の正面図である。
【発明を実施するための形態】
【００１５】
＜実施の形態１＞
以下、図面を参照して本発明の実施の形態について説明する。本実施の形態にかかる携帯端末１のブロック図を図１に示す。携帯端末１は、表示部１１と、切替部１２と、判定部１３、通知部１４と、を備える。ここで、携帯端末１とは、例えば、携帯電話機や携帯オーディオプレーヤー、タブレットＰＣ（Personal Computer）、ゲーム機等であり、表示画面を備える携帯可能な端末である。
【００１６】
表示部１１は、例えばＬＣＤ（Liquid Crystal Display）であり、携帯端末１の機能や携帯端末１のユーザの操作に応じて画像を表示画面に表示する。
【００１７】
切替部１２は、ユーザの操作に基づいて、表示部１１に表示された画像の表示部１１に対する表示方向を切り替える。例えば、切替部１２は、表示部に表示された画像を縦方向または横方向に切り替える。なお、ユーザの操作とは、携帯端末１のボタンの押下や携帯端末１の姿勢の変更等である
【００１８】
なお、縦方向の表示とは、長方形の表示画面の長手方向を画像の上下方向として表示することをいう。同様に、横方向の表示とは、長方形の表示画面の短手方向を画像の上下方向として表示することをいう。勿論、正方形の表示画面であれば、いずれの方向を縦方向としてもよい。この場合、縦方向の表示から画像を略９０°回転させた表示を横方向の表示とする。
【００１９】
判定部１３は、切替部１２の切り替え処理に応じて、表示部１１が、表示部１１に表示された画像を複数の表示方向で表示可能か否かを判定する。例えば、表示部１１が、表示された画像を縦方向及び横方向のいずれの方向でも表示可能な場合、判定部１３は複数の表示方向で当該画像を表示可能であると判定する。一方、表示部１１が、表示された画像を縦方向のみまたは横方向のみ表示可能な場合、判定部１３は複数の表示方向で当該画像を表示可能でないと判定する。
【００２０】
通知部１４は、判定部１３の判定結果を携帯端末１のユーザに通知する。判定結果の通知方法は、例えば、画像表示でもよいし、ＬＥＤ等の点灯でもよい。例えば、通知部１４は、表示部１１は複数の表示方向で表示可能である、と判定部１３が判定した場合、ＬＥＤを点灯させる。一方、表示部１１は縦方向のみ表示可能である、と判定部１３が判定した場合、ＬＥＤを消灯させる。勿論、通知方法は、音を用いた通知でもよいし、バイブレーションを用いた通知でもよい。
【００２１】
以上のように、本実施の形態にかかる携帯端末１の構成によれば、表示部１１が、切替部１２の切り替え処理に応じて、表示部１１に表示された画像を複数の表示方向で表示可能か否かを、判定部１３が判定する。そして、通知部１４が、判定部１３の判定結果をユーザに通知する。そのため、表示部１１が現在表示されている画像を複数の方向で表示可能であるか否かをユーザが認識できる。つまり、ユーザは、表示されている画像の表示方向が切り替え可能か否かを認識することができる。
【００２２】
＜実施の形態２＞
本発明にかかる実施の形態２について説明する。本実施の形態にかかる携帯端末２のブロック図を図２に示す。携帯端末２は、表示部１１と、切替部１２と、機能起動監視部２１と、起動中機能記憶部２２と、表示可能方向判定部２３と、表示可能方向情報記憶部２４と、ＬＥＤ点灯制御部２５と、ＬＥＤ９１〜９４と、を備える。なお、表示部１１及び切替部１２の構成については、携帯端末１と同様であるので、説明を適宜省略する。
【００２３】
機能起動監視部２１は、携帯端末２において起動している機能の有無を監視する。機能起動監視部２１は、起動している機能を検出した場合、当該起動中の機能を示す情報（以下、機能情報と称す）を起動中機能記憶部２２に格納する。起動中機能記憶部２２は、ＲＡＭ（Random Access Memory）等のメモリであり、起動中の機能情報を記憶する。
【００２４】
表示可能方向判定部２３（判定手段）は、起動中機能記憶部２２から起動中の機能情報を読み出す。表示可能方向判定部２３は、当該機能情報に基づいて、表示部１１が表示可能な表示方向を判定する。具体的には、表示可能方向判定部２３は、携帯端末２の機能と、表示部１１が表示可能な画像の表示方向（以下、表示可能方向と称す）と、が対応付けられて格納されたテーブル（図３参照、以下、機能・方向テーブルと称す）を参照して、表示可能方向を判定する。なお、図３に示した機能・方向テーブルの機能Ｘ、Ｙ、Ｚとは、携帯端末２が備える機能であり、例えば、メール機能や、ワンセグ機能、ウェブ閲覧（インターネット）機能等である。携帯端末２は、これらの機能に応じたモードに切り替わる（例えば、メール機能を起動した場合、携帯端末２はメールモードに切り替わる）。そして、これらのモードに応じて、表示部１１の表示レイアウトが切り替わる。
【００２５】
図３に示した機能・方向テーブルにおいては、機能Ｘが起動中である場合、表示部１１が表示できる表示方向（以下、表示可能方向と称す）は縦方向である。つまり、機能Ｘの起動中においては、表示部１１は、機能Ｘに応じて表示される画像を縦方向でのみ表示可能である。同様に、表示部１１は、機能Ｙに応じて表示される画像を横方向でのみ表示可能である。また、表示部１１は、機能Ｚに応じて表示される画像を縦方向と横方向のいずれの表示方向でも表示可能である。なお、上記のように、縦方向及び横方向への表示方向の切り替えは、切替部１２が行う。
【００２６】
なお、機能・方向テーブルは、当該機能の特性に応じて予め設定される。勿論、ユーザの好みに合わせて設定を変更可能としてもよい。機能・方向テーブルは、表示可能方向判定部２３に格納されていてもよいし、その他のメモリに格納されていてもよい。
【００２７】
そして、表示可能方向判定部２３は、判定した表示可能方向を示す情報（以下、表示可能方向情報と称す）を表示可能方向情報記憶部２４に格納する。表示可能方向情報記憶部２４は、ＲＡＭ（Random Access Memory）等のメモリであり、表示可能方向情報を記憶する。
【００２８】
ＬＥＤ点灯制御部２５は、表示可能方向情報記憶部２４から表示可能方向情報を読み出し、当該表示可能方向情報に基づいて、ＬＥＤ９１〜９４の点灯を制御する。具体的には、ＬＥＤ点灯制御部２５は、表示可能方向と、点灯させるＬＥＤと、が対応付けられたテーブル（図４参照、以下、方向・点灯テーブルと称す）を参照して、点灯すべきＬＥＤを特定する。そして、ＬＥＤ点灯制御部２５は、特定したＬＥＤを点灯させる。つまり、ＬＥＤ点灯制御部２５及びＬＥＤ９１〜９４が、実施の形態１における通知部１４に対応する。
【００２９】
ここで、携帯端末２の具体的な構成について説明する。携帯端末２の正面図を図５に示す。携帯端末２は、表示画面１１１、操作ボタン３０を備える携帯電話機である。表示画面１１１は、表示部１１の一部であり、略矩形状をしている。操作ボタン３０は、ユーザが携帯端末２に入力を行うためのユーザインターフェースである。
【００３０】
ＬＥＤ９１〜９４は、表示画面１１１の各辺の中央部に近接して配置されている。より詳細には、ＬＥＤ９１〜９４は、表示画面１１１の外側に配置される。このように、ＬＥＤ９１〜９４を表示画面１１１の外側に配置して点灯させることにより、表示画面１１１に表示されている画像の視認性に影響を与えない。つまり、表示画面１１１内にＬＥＤを配置して点灯させる場合よりも、ＬＥＤ９１〜９４を表示画面１１１の外側に配置して点灯させる方が、表示画面１１１に表示されている画像の視認性を低下させない。表示画面１１１の上にＬＥＤ９１が配置され、表示画面１１１の下にＬＥＤ９３が配置され、表示画面１１１の右にＬＥＤ９２が配置され、表示画面１１１の左にＬＥＤ９４が配置される。
【００３１】
そして、ＬＥＤ９２の上部に表示画面１１１が配置され、ＬＥＤ９２の下部に操作ボタン３０が配置される。縦方向に表示可能である場合、表示画面１１１を挟んで上下方向に並んでいるＬＥＤ９１、９３が点灯する。横方向に表示可能である場合、表示画面１１１を挟んで左右方向に並んでいるＬＥＤ９２、９４が点灯する。このような点灯動作により、ユーザは、表示可能方向を直感的に把握することができる。なお、図５に示した携帯端末２においては、表示画面１１１に表示された画像の上下方向がＬＥＤ９１、９３の配置方向となる場合を縦方向の表示とし、画像の上下方向がＬＥＤ９２、９４の配置方向となる場合を横方向の表示とする。
【００３２】
続いて、本実施の形態にかかる携帯端末２の動作例について、図６に示すフローチャートを参照して説明する。まず、機能起動監視部２１が、現在起動している機能を監視する（ステップＳ１０１）。そして、機能起動監視部２１は、起動中の機能があるか否かを検出する（ステップＳ１０２）。
【００３３】
機能起動監視部２１が起動している機能を検出した場合（ステップＳ１０２：Ｙｅｓ）、機能起動監視部２１は、検出した機能情報を起動中機能記憶部２２に格納する（ステップＳ１０３）。例えば、機能起動監視部２１は、起動している機能として機能Ｘを検出した場合、起動中機能記憶部２２に機能Ｘを示す情報を格納する。
【００３４】
次に、表示可能方向判定部２３は、起動中機能記憶部２２から機能情報を読み出す。表示可能方向判定部２３は、機能・方向テーブルを参照して、読み出した機能に対応する表示可能方向を判定する。そして、表示可能方向判定部２３は、判定結果（表示可能方向情報）を表示可能方向情報記憶部２４に格納する（ステップＳ１０４）。
【００３５】
上記の例では、表示可能方向判定部２３は、起動中機能記憶部２２から機能Ｘの機能情報を読み出した場合、機能・方向テーブルを参照して、表示可能方向は縦方向であると判定する（図３参照）。そして、表示可能方向判定部２３は、表示可能方向情報記憶部２４に表示可能方向情報として縦方向を示す情報を格納する。
【００３６】
ＬＥＤ点灯制御部２５は、表示可能方向情報記憶部２４から表示可能方向情報を読み出す（ステップＳ１０５）。そして、ＬＥＤ点灯制御部２５は、読み出した表示可能方向情報に基づいて、表示可能方向を特定する（ステップＳ１０６）。ＬＥＤ点灯制御部２５は、方向・点灯テーブルを参照して、表示可能方向に対応するＬＥＤを特定する（図４参照）。
【００３７】
上記の例では、ＬＥＤ点灯制御部２５は、表示可能方向情報記憶部２４から縦方向の表示可能方向情報を読み出し、方向・点灯テーブルを参照して、点灯すべきＬＥＤはＬＥＤ９１、９３であると特定する。そして、ＬＥＤ点灯制御部２５は、ＬＥＤ９１、９３を点灯させる（ステップＳ１０７）。ＬＥＤ９１、９３を点灯した場合の携帯端末２の正面図を図７に示す。なお、斜線で示すＬＥＤが点灯しているＬＥＤである。
【００３８】
同様に、ＬＥＤ点灯制御部２５は、表示可能方向情報記憶部２４から横方向の表示可能方向情報を読み出した場合、方向・点灯テーブルを参照して、点灯すべきＬＥＤ９２、９４を点灯させる（ステップＳ１０８、図８参照）。これに対して、ＬＥＤ点灯制御部２５は、表示可能方向情報記憶部２４から縦方向及び横方向の表示可能方向情報を読み出した場合、方向・点灯テーブルを参照して、点灯すべきＬＥＤ９１〜９４を点灯させる（ステップＳ１０９、図９参照）。
【００３９】
このとき、ＬＥＤ点灯制御部２５は、点灯すべきＬＥＤを点灯させた後、所定時間経過後に、点灯しているＬＥＤを消灯させてもよい。これにより、ＬＥＤ点灯に消費する電力を削減できる。さらに、ＬＥＤの消灯後に、携帯端末２の所定のキーを押すことにより、ＬＥＤ点灯制御部２５が、再び点灯すべきＬＥＤを点灯させる構成としてもよい。これにより、ユーザは、表示可能方向を再度確認することができる。
【００４０】
一方、機能起動監視部２１が起動中の機能を検出しなかった場合（例えば待ち受け状態の場合）（ステップＳ１０２：Ｎｏ）、ＬＥＤ点灯制御部２５は、ＬＥＤ９１〜９４を消灯させる（ステップＳ１１０）。
【００４１】
以上のように、本実施の形態にかかる携帯端末２の構成によれば、機能起動監視部２１が起動中の機能を検出する。また、表示可能方向判定部２３が、検出された機能に基づいて、表示可能方向を判定する。そして、ＬＥＤ点灯制御部２５が、表示可能方向に基づいて、表示画面１１１の周囲に配置されたＬＥＤ９１〜９４の点灯を制御する。そのため、携帯端末２のユーザは、点灯しているＬＥＤを目視することにより、現在使用している機能の画像が対応している表示方向を認識することができる。
【００４２】
さらに、機能毎に表示可能方向を設定しているため、表示可能方向判定部２３が、表示される画像毎に、表示方向の切り替えの可否を判断する必要がない。
【００４３】
加えて、本実施の形態においては、表示可能方向として縦方向と横方向の２通りであったが、４通りとしてもよい。つまり、画像の上側がＬＥＤ９１となる方向、画像の上側がＬＥＤ９２となる方向、画像の上側がＬＥＤ９３となる方向及び画像の上側がＬＥＤ９４となる方向の４通りとしてもよい。その場合、ＬＥＤ点灯制御部２５は、画像の上側となるＬＥＤを点灯させる。例えば、画像の上側がＬＥＤ９１となる方向、画像の上側がＬＥＤ９２となる方向、画像の上側がＬＥＤ９４となる方向の３通りの表示方向で、表示部１１が画像を表示可能な場合、ＬＥＤ点灯制御部２５は、ＬＥＤ９１、９２、９４を点灯させる（図１０参照）。
【００４４】
なお、本実施の形態においては、ＬＥＤ点灯制御部２５が、表示可能方向に対応するＬＥＤを点灯させていたが、これに限られるものではない。例えば、表示可能方向に対応するＬＥＤを点滅させてもよい。さらに、表示可能方向に対応するＬＥＤを消灯させ、表示できない方向に対応するＬＥＤを点灯させてもよい。また、複数の機能を起動させている場合、ＬＥＤ点灯制御部２５は、アクティブとなっている機能（表示部１１の最前面に表示されている機能）に基づいて、ＬＥＤ９１〜９４の点灯を制御する。
【００４５】
＜その他の実施例＞
（他の実施例１）
本発明にかかるその他の実施例について説明する。他の実施例１にかかる携帯端末は、携帯端末１、２の構成に加えて、姿勢センサを備える。姿勢センサは、例えば、ジャイロセンサや加速度センサ等から構成され、携帯端末の傾きを検出する。他の実施例１にかかる携帯端末においては、切替部１２が、姿勢センサの検出した角度に基づいて、表示部１１が表示する画像の表示方向を切り替える。つまり、ユーザが携帯端末を傾けた場合に、表示部１１に表示された画像の表示方向が切り替わる。
【００４６】
通常、携帯端末の姿勢に基づいて、画像の表示方向を切り替える場合、当該画像の表示方向が切り替わるタイミングは、携帯端末の傾け方や姿勢センサの検出精度等によってばらつきが生じる。一方、ユーザは、起動中の機能に応じて表示された画像の表示方向が切り替え可能か否かを認識できない。そのため、１つの表示方向にしか対応していない機能の起動中に、ユーザが携帯端末を傾けたにも関わらず画像の表示方向が切り替わらない場合、ユーザは、傾け方が適切でない、姿勢センサが故障している等の誤認をする可能性ある。
【００４７】
これに対して、他の実施例１にかかる携帯端末の構成によれば、ユーザは、表示画面１１１の周囲に配置されたＬＥＤ９１〜９４の点灯を確認することにより、現在表示されている画像の表示可能方向を認識できる。そのため、上記のような誤解を回避することができる。
【００４８】
（他の実施例２）
他の実施例２にかかる携帯端末は、携帯端末２のＬＥＤ９１〜９４に替えて、操作ボタン３０のバックライトを点灯させる。他の実施例２にかかる携帯端末においては、ＬＥＤ点灯制御部２５は、現在表示されている画像の表示可能方向に対応して、操作ボタン３０に設けられた点灯部材の点灯制御を行う。例えば、ＬＥＤ点灯制御部２５は、表示画面１１１に表示された画像の表示可能方向が縦方向の場合、操作ボタンの「２」及び「８」を点灯させる（図１１参照）。同様に、点灯制御部２５は、表示画面１１１に表示された画像の表示可能方向が横方向の場合、操作ボタンの「４」及び「６」を点灯させる。さらに、点灯制御部２５は、表示画面１１１に表示された画像の表示可能方向が縦方向及び横方向の場合、操作ボタンの「２」、「４」、「６」及び「８」を点灯させる。なお、他の実施例２にかかる携帯端末は、上述した他の実施例１にかかる携帯端末と同様に、姿勢センサ２６を備えている。
【００４９】
上記の動作においては、図５に示したＬＥＤ９１が操作ボタン３０の「２」に対応している。同様に、ＬＥＤ９２が操作ボタン３０の「６」に対応し、ＬＥＤ９３が操作ボタン３０の「８」に対応し、ＬＥＤ９４が操作ボタン３０の「４」に対応している。ただし、対応関係はこれに限られない。例えば、ＬＥＤ９２の替わりに操作ボタン３０の「６」と「９」との間のＬＥＤを点灯させてもよい。さらに、ＬＥＤ９２の替わりに操作ボタン３０の「６」及び「９」の両方を点灯させてもよい。
【００５０】
このように、他の実施例２にかかる携帯端末の構成によれば、表示画面１１１の周囲に別途ＬＥＤを配置することなく、ユーザに対して、表示中の画像の表示可能方向を通知することができる。そのため、一般的な携帯電話機のデザインを変更することなく、ユーザに対して、現在表示されている画像の表示可能方向を通知することができる。さらに、表示可能方向を示す表示を表示画面１１１中に表示させてもよい。これにより、携帯端末にＬＥＤを備える必要がなくなる。
【００５１】
（他の実施例３）
他の実施例３にかかる携帯端末においては、ＬＥＤ９１〜９４の配置位置が携帯端末２と異なっている。図１２に他の実施例３にかかる携帯端末の正面図を示す。ＬＥＤ９１は、表示画面１１１の左上に配置される。同様に、ＬＥＤ９２は、表示画面１１１の右上、ＬＥＤ９３は表示画面１１１の右下、ＬＥＤ９４は、表示画面１１１の左下に配置される。言い換えると、ＬＥＤ９１〜９４は、表示画面１１１の各コーナーの外側に近接して配置される。
【００５２】
表示可能方向が縦方向である場合、ＬＥＤ点灯制御部２５は、ＬＥＤ９１、９２を点灯させ、すぐに消灯させる。その後、ＬＥＤ点灯制御部２５は、ＬＥＤ９３、９４を点灯させ、すぐに消灯させる。一方、表示可能方向が横方向である場合、ＬＥＤ点灯制御部２５は、ＬＥＤ９１、９４を点灯させ、すぐに消灯させる。その後、ＬＥＤ点灯制御部２５は、ＬＥＤ９２、９３を点灯させ、すぐに消灯させる。
【００５３】
表示可能方向が３方向である場合、例えば、図１０に示した方向に表示可能な場合、ＬＥＤ点灯制御部２５は、ＬＥＤ９１、９４を点灯させ、すぐに消灯する。その後、ＬＥＤ点灯制御部２５は、ＬＥＤ９１、９２を点灯させ、すぐに消灯させる。その後、ＬＥＤ点灯制御部２５は、ＬＥＤ９２、９３を点灯させ、すぐに消灯させる。なお、表示可能方向が４方向である場合、ＬＥＤ点灯制御部２５は、ＬＥＤ９１、９２を点灯させ、すぐに消灯させる。同様に、各辺を挟むＬＥＤを順番に点灯させ、その後消灯させる。ＬＥＤ点灯制御部２５がこのような点灯動作を繰り返すことにより、ＬＥＤ９１〜９４の配置位置を変更した場合であっても、ユーザに対して表示方向を通知することができる。
【００５４】
さらに、ＬＥＤ９１〜９４の発光色を変更させることにより、表示可能方向をユーザに通知してもよい。例えば、表示可能方向が縦方向の場合、ＬＥＤ点灯制御部２５は、ＬＥＤ９１、９２を赤色に点灯させ、ＬＥＤ９３、９４を青色に点灯させる。また、表示可能方向が横方向の場合、ＬＥＤ点灯制御部２５は、ＬＥＤ９１、９４を赤色に点灯させ、ＬＥＤ９２、９３を青色に点灯させる。
【００５５】
表示可能方向が３方向である場合、例えば、図１０に示した方向に表示可能な場合、表示部１１は、左右の方向（横方向）の表示に加えて、表示画面１１１の上辺を画像の上側として表示可能である。そのため、ＬＥＤ点灯制御部２５は、ＬＥＤ９４を赤色に点灯させ、ＬＥＤ９３を青色に点灯させる。加えて、ＬＥＤ点灯制御部２５は、ＬＥＤ９１、９２を緑色に点灯させる。つまり、ＬＥＤ点灯制御部２５は、縦方向表示または横方向表示の点灯制御に加えて、表示部１１が表示可能な３つ目の方向に位置する辺を挟むＬＥＤの色を緑色に点灯させる。図１０の場合、ＬＥＤ点灯制御部２５は、横方向表示の点灯制御（ＬＥＤ９１、９４が赤色点灯、ＬＥＤ９２、９３が青色点灯）に加えて、３つ目の表示可能方向である上方向に位置する辺を挟むＬＥＤ９１、９２を緑色に点灯させる。なお、表示可能方向が４方向である場合、ＬＥＤ点灯制御部２５は、ＬＥＤ９１〜９４を同じ色に点灯させる。ＬＥＤ点灯制御部２５がこのような点灯動作を繰り返すことにより、ＬＥＤ９１〜９４の配置位置を変更した場合であっても、ユーザに対して表示方向を通知することができる。勿論、発光色のパターンは、上記の色に限られない。
【００５６】
上述の実施の形態で説明した携帯端末の処理は、いずれもＡＳＩＣ（Application Specific Integrated Circuit）、ＤＳＰ（Digital Signal Processor）等の半導体処理装置を用いて実現してもよい。また、これらの機能は、マイクロプロセッサ等のコンピュータにプログラムを実行させることによって実現してもよい。具体的には、図６に示したアルゴリズムをコンピュータに行わせるための命令群を含むプログラムを作成し、当該プログラムをコンピュータに供給すればよい。
【００５７】
このプログラムは、様々なタイプの非一時的なコンピュータ可読媒体（non-transitory computer readable medium）を用いて格納され、コンピュータに供給される。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５８】
なお、本発明は上記実施の形態に限られたものではなく、趣旨を逸脱しない範囲で適宜変更または組み合わせをすることが可能である。例えば、上述の実施の形態においては、画像の表示方向として、縦方向及び横方向のみを採用したが、これらの方向以外の表示方向（例えば斜め方向）であってもよい。また、携帯端末の構成は、図５に示した携帯電話機の構成に限られない。つまり、ＬＥＤ等の通知部を備えていれば、操作ボタン３０を備えないタッチパネル式の携帯端末であってもよい。さらに、上述の実施の形態においては、表示画面１１１の一つの辺に対して、ＬＥＤが１つ又は２つ配置される構成を説明したが、これに限られるものではなく、一辺に３つ以上のＬＥＤが設けられていてもよい。
【符号の説明】
【００５９】
１、２  携帯端末
１１  表示部
１２  切替部
１３  判定部
１４  通知部
２１  機能起動監視部
２２  起動中機能記憶部
２３  表示可能方向判定部
２４  表示可能方向情報記憶部
２５  ＬＥＤ点灯制御部
２６  姿勢センサ
３０  操作ボタン
９１〜９４  ＬＥＤ
１１１  表示画面
【図１】
2012181319.tif 000003
【図２】
2012181319.tif 000004
【図３】
2012181319.tif 000005
【図４】
2012181319.tif 000006
【図５】
2012181319.tif 000007
【図６】
2012181319.tif 000008
【図７】
2012181319.tif 000009
【図８】
2012181319.tif 000010
【図９】
2012181319.tif 000011
【図１０】
2012181319.tif 000012
【図１１】
2012181319.tif 000013
【図１２】
2012181319.tif 000014